(57)【特許請求の範囲】
【請求項１】
バルコニーに取り付けられるフェンス本体と、このフェンス本体に、その厚さ方向に貫通して設けられた複数の貫通部とを備え、前記バルコニーの外側を向くフェンス本体の外面に開口する貫通部の外側開口の大きさが、前記バルコニーの内側を向くフェンス本体の内面に開口する貫通部の内側開口の大きさより大きくなっており、前記内側開口が幼児の指が入らない程度の大きさであり、前記貫通部が、前記フェンス本体の横方向に延在するスリットであり、該スリットがフェンス本体の縦方向に所定間隔で平行に設けられてなるバルコニーフェンスを、バルコニーに取り付けてなるバルコニーフェンスの取付け構造であって
前記フェンス本体が、前記貫通部を備えた複数の分割フェンスパネルで構成され、
この分割フェンスパネルが複数本の中間縦材を備え、
前記バルコニーに複数本の支柱が互いに平行に立設されており、該支柱に前記複数の分割フェンスパネルがそれぞれ上下に隣接し、かつ、前記中間縦材を前記支柱に係合させて取り付けられており、上下に隣接する分割フェンスパネル間には、前記貫通部と同幅のスリットが設けられていることを特徴とするバルコニーフェンスの取付け構造。
【請求項２】
バルコニーに取り付けられるフェンス本体と、このフェンス本体に、その厚さ方向に貫通して設けられた複数の貫通部とを備え、前記バルコニーの外側を向くフェンス本体の外面に開口する貫通部の外側開口の大きさが、前記バルコニーの内側を向くフェンス本体の内面に開口する貫通部の内側開口の大きさより大きくなっており、前記内側開口が幼児の指が入らない程度の大きさであり、前記貫通部が、前記フェンス本体の横方向に延在するスリットであり、該スリットがフェンス本体の縦方向に所定間隔で平行に設けられてなるバルコニーフェンスを、バルコニーに取り付けてなるバルコニーフェンスの取付け方法であって、
前記フェンス本体が、前記貫通部を備えた複数の分割フェンスパネルで構成され、
この分割フェンスパネルが複数本の中間縦材を備え、
前記バルコニーに複数本の支柱を平行に立設し、次に、前記複数の分割フェンスパネルを、下から順番に、かつ、前記中間縦材を前記支柱に係合させて前記支柱に取り付けていくことを特徴とするバルコニーフェンスの取付け方法。
【発明の詳細な説明】
【０００１】
【発明の属する技術分野】
本発明は、バルコニーの床部に取り付けられるバルコニーフェンスの取付け構造、および取付け方法に関するものである。
【０００２】
【背景の技術】
バルコニーフェンスの構造の一例として、例えば、特開平９−７８６８６号公報に記載の技術が知られている。
この技術は、バルコニーフェンスに多数の小孔を形成することによって、該バルコニーフェンスに多数の小孔からなる模様を施すとともに、前記小孔を、幼児の足や手の指が入らない程度の大きさとすることで、幼児がバルコニーフェンスに足や手の指を掛けてよじ登れないようにしたものである。
【０００３】
【発明が解決しようとする課題】
このように、前記従来のバルコニーフェンスは、前記小孔に幼児が足や手の指を掛けてよじ登れないようになっているが、前記小孔が幼児の足や手の指が入らない程度の小さなものであるので、該バルコニーフェンスを、住宅の外側の比較的遠いところから見た場合、前記小孔を認識し難くなる場合がある。この場合、バルコニーフェンスに多数の小孔からなる模様を施したにも拘らず、この模様が認識できず、バルコニーフェンスとしての意匠性が低下してしまうという問題があった。
【０００４】
本発明は上記事情に鑑みてなされたもので、幼児がよじ登るのを防止でき、かつ、意匠性に優れたバルコニーフェンスの取付け構造および取付け方法を提供することを目的としている。
【０００５】
【課題を解決するための手段】
上記目的を達成するために、請求項１記載の発明は、例えば図１〜図３に示すように、バルコニーに取り付けられるフェンス本体１と、このフェンス本体１に、その厚さ方向に貫通して設けられた複数の貫通部２とを備え、前記バルコニーの外側を向くフェンス本体１の外面に開口する貫通部２の外側開口８の大きさが、前記バルコニーの内側を向くフェンス本体１の内面に開口する貫通部２の内側開口９の大きさより大きくなっており、前記内側開口９が幼児の指が入らない程度の大きさであり、前記貫通部２が、前記フェンス本体１の横方向に延在するスリット２であり、該スリット２がフェンス本体１の縦方向に所定間隔で平行に設けられてなるバルコニーフェンスＡを、バルコニーに取り付けてなるバルコニーフェンスの取付け構造であって、
前記フェンス本体１が、前記貫通部２を備えた複数の分割フェンスパネル３で構成され、この分割フェンスパネル３が複数本の中間縦材６を備え、
前記バルコニーに複数本の支柱４が互いに平行に立設されており、該支柱４に前記複数の分割フェンスパネル３がそれぞれ上下に隣接し、かつ、前記中間縦材６を前記支柱４に係合させて取り付けられており、上下に隣接する分割フェンスパネル３間には、前記貫通部２と同幅のスリットＢが設けられていることを特徴とする。
また、前記貫通部２の形状には様々なバリエーションが考えられ、外側開口８から内側開口９に向かうにつれて、貫通部２の断面積が徐々に狭くなっていく、横断面形状が、略楔形の台形状のものや、略三角形状のもの、また、途中までは外側開口８と、同断面積であるが、内側開口９近傍で、急に断面積が狭くなる構造のものなど色々と考えられる。
【０００６】
請求項１の発明によれば、バルコニーの外側を向くフェンス本体１の外面に開口する貫通部２の外側開口８の大きさが前記バルコニーの内側を向くフェンス本体1の内面に開口する貫通部２の内側開口９の大きさより大きくなっているので、該バルコニーフェンスＡを、住宅の外側の比較的遠いところから見た場合でも、貫通部２の外側開口８を確実に認識することができる。したがって、これら外側開口８による模様をバルコニーフェンスＡの外面において認識することができ、意匠性に優れたものとなる。しかも、前記貫通部２の内側開口９が幼児の指が入らない程度の大きさであるので、幼児がバルコニーフェンスＡによじ登るのを防止できる。
【０００８】
また、前記貫通部２が、前記フェンス本体１の横方向に延在するスリット２であり、該スリット２がフェンス本体１の縦方向に所定間隔で平行に設けられているので、前記バルコニーの外側は非常に見映えの良い横目柄を形成することができる。さらに、前記貫通部２が横方向に延在するスリット２であるので、格子状に形成された貫通部２に比べて、十分な通気性を確保することができる。
【００１２】
また、前記フェンス本体１が、前記貫通部２を備えた複数の分割フェンスパネル３で構成されているので、フェンス本体１の高さや幅を、使用する分割フェンスパネル３の数を変えることによって調整することができる。また、一部分が破損した場合に、破損した部分の分割フェンスパネル３だけを取り替えればよく、フェンス本体１一式を全て交換する必要が無い。なお、フェンス本体１は縦方向に分割されてもよいし、横方向に分割されてもよい。
【００１４】
また、バルコニーに複数本の支柱４が互いに平行に立設されており、該支柱４に前記複数の分割フェンスパネル３がそれぞれ上下に隣接して取り付けられているので、分割フェンスパネル３を容易かつ確実にバルコニーに設置でき、よって、バルコニーフェンスＡをバルコニーに容易かつ、確実に取り付けることができる。また、上下に隣接する分割フェンスパネル３間には、前記貫通部２と同幅のスリットＢが設けられているので、分割フェンスパネル３同士の継ぎ目を目立たなくさせることができ、一体型フェンスパネルと同等の見映えにすることができる。
【００１５】
請求項２記載の発明はバルコニーに取り付けられるフェンス本体１と、このフェンス本体１に、その厚さ方向に貫通して設けられた複数の貫通部２とを備え、前記バルコニーの外側を向くフェンス本体１の外面に開口する貫通部２の外側開口８の大きさが、前記バルコニーの内側を向くフェンス本体１の内面に開口する貫通部２の内側開口９の大きさより大きくなっており、前記内側開口９が幼児の指が入らない程度の大きさであり、前記貫通部２が、前記フェンス本体１の横方向に延在するスリット２であり、該スリット２がフェンス本体１の縦方向に所定間隔で平行に設けられてなるバルコニーフェンスＡをバルコニーに取り付けてなるバルコニーフェンスＡの取付け方法において、
前記フェンス本体１が、前記貫通部２を備えた複数の分割フェンスパネル３で構成され、
この分割フェンスパネル３が複数本の中間縦材６を備え、
前記バルコニーに複数本の支柱４を平行に立設し、次に、前記複数の分割フェンスパネル３を、下から順番に、かつ、前記中間縦材６を前記支柱４に係合させて前記支柱４に取り付けていくことを特徴としている。
【００１６】
請求項２の発明によれば、バルコニーに複数本の支柱４を平行に立設し、次に、前記複数の分割フェンスパネル３を、下から順番に前記支柱４に取り付けていくので、作業者は一体型のバルコニーフェンスＡを取り付ける場合に比べて、少ない労力で取り付けることができる。また、支柱４があることによって、フェンス本体１を強固に固定することができる。また、上から分割フェンスパネル３を取り付けていくと、最後の一枚はバルコニーの床部と上に取り付けた分割フェンスパネル３の間に取り付けなければならなくなり、分割フェンスパネル３の寸法誤差や取付誤差の影響で取り付けが難しくなる場合が考えられるが、下から取り付けた場合には、最後の一枚の取り付け時には、上部には空間があり、多少の寸法誤差や取付誤差があったとしても、取り付けを容易に行うことができる。
【００１７】
【発明の実施の形態】
以下図面を参照して、本発明のバルコニーフェンスＡの実施の形態について説明する。図１は本発明のバルコニーフェンスＡの一例を示すもので、その斜視図、図２は同バルコニーフェンスＡの横断面図である。また、図３は同バルコニーフェンスＡの拡大横断面図であり、図４は同バルコニーフェンスＡの分解斜視図である。これらの図に示すバルコニーフェンスＡは、バルコニーに取り付けられるフェンス本体１と、このフェンス本体１に、その厚さ方向に貫通して設けられた複数の貫通部２とを備えた構成とされている。
【００１８】
前記フェンス本体１は、図４に示すように、三つの分割フェンスパネル３・・で構成されている。これら、三つの分割フェンスパネル３・・は、それぞれ、上段の分割フェンスパネル３a、中段の分割フェンスパネル３b、下段の分割フェンスパネル３cとされている。前記分割フェンスパネル３は、図３、図５および図６に示すように、横方向に延材し、縦方向に所定間隔で平行に設置される複数の桟材５と、それとは垂直な方向に設けられた三本の中間縦材６と二本の両脇縦材７とで構成されている。
【００１９】
前記桟材５は前記分割フェンスパネル３の主要部材であり、図３に示すように、横方向に延在する塩ビ鋼板の板体を横断面で、略逆Ｕ字状に直角に屈曲させて形成されている。前記桟材５の横断面は、片側がもう一方の側よりも長く形成されており、短い方の先端は内側に直角に折り曲げられて形成されている。また、前記桟材５は横方向に延在し、縦方向に所定の間隔で平行に並んで配置されているので、縦方向に隣り合う桟材５，５間にスリット（貫通部）２が形成されている。
【００２０】
また、前記スリット２においてはバルコニーの外側を向く前記フェンス本体１の外面に開口する外側開口８の大きさが、前記バルコニーの内側を向く前記フェンス本体１の内面に開口する内側開口９の大きさより大きく形成されている。また、バルコニーの外面において、前記外側開口８の幅Ｌ１と、桟材５の幅Ｌ２は、ほぼ等しく形成されている。また、前記内側開口９の大きさは、幼児の足や手の指が入らない程度の大きさに形成されている。さらに、上下に隣接する前記分割フェンスパネル３間には、スリットＢが設けられている。前記スリットＢの幅は前記スリット２と同幅に形成されている。
【００２１】
前記中間縦材６は、図５および図６に示すように、前記分割フェンスパネル３の内面側に所定間隔で平行に配置されて、設けられたもので、断面がコ字状で前記分割フェンスパネル３の高さと同じ長さに形成されている。さらに、前記中間縦材６には、上部と下部の二箇所に受材１０が設けられている。この受材１０は、上下に長尺な平板であり、該中間縦材６の裏面から突出して設けられ、その幅は前記中間縦材６の幅とほぼ等しく形成されている。
【００２２】
前記両脇縦材７は前記分割フェンスパネル３の両脇に配置されて設けられたもので、前記分割フェンスパネル３の高さと同じ長さに形成されている。また、前記両脇縦材７には外側に突出したフランジ部２３が該両脇縦材７の長さ方向に延在して形成されている。
【００２３】
次に、上記構成のバルコニーフェンスＡの取付け構造について説明する。図１に示すように、バルコニーの先端部にはバルコニー壁２２が設けられている。このバルコニー壁２２には柱１８が立設されている。図４に示すように、前記バルコニー壁２２には、笠木受材１４および支柱アンカー１５が設置され、その上に笠木１３が取り付けられている。この笠木１３には三本の支柱４が互いに平行に立設されている。この支柱４は四角筒状のもので、その前面には嵌合溝１９が形成されている。前記嵌合溝１９は前記受材１０の突出した部分の形状と嵌り合うように形成された溝であり、前記支柱４が前記中間縦材６と当接する側に該支柱４の全長に渡って設けられている。さらに、前記柱１８には壁端部ブラケット１１が木ねじ２０により固定されて設けられている。この壁端部ブラケット１１には、前記両脇縦材７に設けられた前記フランジ部２３と係合するための係合部２５と前記両脇縦材７が当接される当接部２６が全長に渡って設けられている。また、前記壁端部ブラケット１１は前記支柱４と同じ長さで、該支柱４と平行に設けられており、前記支柱４には、分割フェンスパネル３がそれぞれ上下に隣接して取り付けられている。
【００２４】
前記分割フェンスパネル３と前記支柱４とは、図５および図６に示すように、支柱４に設けられた前記嵌合溝１９と前記受材１０とを嵌合させてからスライドさせることによって、前記中間縦材６と前記支柱４とを係合させ、さらにビス１２を用いて確実に固定されている。また、前記分割フェンスパネル３と前記壁端部ブラケット１１とは、該分割フェンスパネル３に設けられた前記両脇縦材７のフランジ部２３に該壁端部ブラケット１１の係合部２５を係合するとともに両脇縦材７を壁端部ブラケット１１の当接部２６に当接して、真上からスライドさせて、さらにビス２４を用いて、両端部で前後左右にぐらつかないように固定されている。
【００２５】
次に、上記構成のバルコニーフェンスＡの取付け方法について説明する。まず、図１に示す前記バルコニー壁２２に耐水シートを貼付け、次いで図４に示すように、その上に前記笠木受材１４と前記支柱アンカー１５を木ねじおよびボルトを用いて、取り付ける。ここで、水準器や水糸等を利用して前記笠木受材１４の高さを確認する必要があるが、前記笠木受材１４の高さがそろわない場合には、薄いプレート状のものを該笠木受材１４の下に入れて、高さを調整する。さらに、フェンス本体１を側面から支えるために、壁端部ブラケット１１を柱１８に木ねじ２０で垂直に取り付ける。壁端部ブラケット１１が垂直でないと、分割フェンスパネル３が納まらない場合が出てくるので、水平器などを利用して正確に取り付ける必要がある。そして、前記笠木１３を垂直に下ろし、該笠木１３を前記笠木受材１４に嵌合させてしっかりと取り付け、さらに、前記支柱アンカー１５に前記支柱４のうち、中央に位置する一本を嵌め込んでから、六角ボルト２１で固定し、確実に取り付ける。すると、前記笠木１３に立設されて設けられた、その他の前記支柱４も同時に立設される。
【００２６】
次に、図５および、図６に示すように、上段、中段、下段の三段に分割された前記分割フェンスパネル３を下段から順番に、該分割フェンスパネル３の両端部にある前記両脇縦材７を、両端の前記壁端部ブラケット１１に真上からスライドさせて、前記フランジ部２３を前記壁端部ブラケット１１の係合部２５に係合させるとともに両脇縦材７を当接部２６に当接する。また、前記分割フェンスパネル３と前記支柱４とを固定させるために、前記中間縦材６に設けられた前記受材１０と該支柱４に設けられた前記嵌合溝１９を嵌合させ、さらにビス１２を使って取り付けていく。この時、固定する前に、前記分割フェンスパネル３（３ａ、３b、３ｃ）が水平になっているか、水平器などを利用して確認する。そして、上段まで、分割フェンスパネル３を取り付けた後、その上に手摺裏板１６を前記支柱４にビスで、壁に木ねじで水平になるように固定し、最後に手摺１７を前記手摺裏板１６にビスで固定し、取り付ける。さらにこの後、図には示さないが、前記壁端部ブラケット１１の上部にブラケットエンドキャップ、前記支柱４に支柱カバーを取り付けて、細部の見映えを整えて、取り付けを完成させる。
【００２７】
本実施の形態のバルコニーフェンスＡによれば、以下のような効果が得られる。前記バルコニーの外側を向くフェンス本体１の外面に開口するスリット（貫通部）２の外側開口８の大きさが、前記バルコニーの内側を向くフェンス本体１の内面に開口するスリット２の内側開口９の大きさより大きくなっており、前記内側開口９が幼児の指が入らない程度の大きさであるので、これら外側開口８による模様をバルコニーフェンスＡの外面において認識することができ、意匠性に優れたものとなる。しかも、前記スリット２の内側開口９が幼児の指が入らない程度の大きさであるので、幼児がバルコニーフェンスＡによじ登るのを防止できる。したがって、意匠性と安全性を兼ね備えたバルコニーフェンスＡを形成することができる。
【００２８】
また、前記スリット２がフェンス本体１の縦方向に所定間隔で平行に設けられているので、前記バルコニーの外側は非常に見映えの良い横目柄を形成することができる。さらに前記貫通部２が横方向に延在するスリット２であるので、格子状に形成された貫通部２に比べて、十分な通気性を確保することができる。
【００２９】
また、前記フェンス本体１が縦方向に複数分割され、かつ、前記複数のスリット２を備えた分割フェンスパネル３で構成されているので、フェンス本体１の高さを、使用する分割フェンスパネル３の数を変えることによって調整することができる。また、一部分が破損した場合に、破損した部分の分割フェンスパネル３だけを取り替えればよく、フェンス本体１一式を全て交換する必要が無い。
【００３０】
また、バルコニーの床部に複数本の支柱４が互いに平行に立設されているので、分割フェンスパネル３を容易かつ確実にバルコニーに設置でき、よって、バルコニーフェンスＡをバルコニーに容易かつ、確実に取り付けることができる。また、該支柱４に前記複数の分割フェンスパネル３がそれぞれ取り付けられており、上下に隣接する分割フェンスパネル３間には、前記スリット２と同幅のスリットＢが設けられているので、分割フェンスパネル３同士の継ぎ目を目立たなくさせることができ、一体型フェンスパネルと同等の見映えにすることができる。
【００３１】
また、バルコニーの床部に複数本の支柱４を平行に立設し、次に、前記複数の分割フェンスパネル３を、下から順番に前記支柱４に取り付けていくので、作業者は一体型のバルコニーフェンスＡを取り付ける場合に比べて、少ない労力で取り付けることができる。また、支柱４があることによって、フェンス本体１を強固に固定することができる。また、上から分割フェンスパネル３を取り付けていくと、最後の一枚はバルコニーの床部と上に取り付けた分割フェンスパネル３の間に取り付けなければならなくなり、分割フェンスパネル３の寸法誤差や取付誤差の影響で取り付けが難しくなる場合が考えられるが、下から取り付けた場合には、最後の一枚の取り付け時には、上部には空間があり、多少の寸法誤差や取付誤差があったとしても、取り付けを容易に行うことができる。
【００３２】
なお、本実施の形態における桟材５に代えて、図７に示すような桟材５a、５b、５cを用いてもよい。前記桟材５aは、横断面形状が、略楔形の台形状のものであり、外側開口８から内側開口９に向かうにつれて、開口断面積が徐々に狭くなっている。前記桟材５bは、横断面形状が下面に突出部を有する略矩形状のものであり、開口断面積が途中までは外側開口８と、同断面積であるが、内側開口９近傍で、急に断面積が狭くなっている。また、前記桟材５cは、横断面形状が半円状のものであり、外側開口８から内側開口９に向かうにつれて、開口断面積が曲線状に狭くなっている。以上のように形状バリエーションは色々と考えられ、様々な意匠を施すことができる。さらに、外側開口８とバルコニーの外面における桟材５との比率を変えることによっても、意匠を施すことができる。
【００３３】
また、前記バルコニーフェンスＡは前記スリット２をフェンス本体１の横方向に所定間隔で平行に設けて、縦目柄のバルコニーフェンスＡとしてもよい。また、前記フェンス本体１は一体型のパネル構造としてもよい。
【００３４】
【発明の効果】
以上説明したように、本発明の請求項１の発明によれば、バルコニーの外側を向くフェンス本体の外面に開口する貫通部の外側開口の大きさが、前記バルコニーの内側を向くフェンス本体の内面に開口する貫通部の内側開口の大きさより大きくなっており、前記内側開口が幼児の指が入らない程度の大きさであるものであるから、該バルコニーフェンスを、住宅の外側の比較的遠いところから見た場合でも、貫通部の外側開口を確実に認識することができる。したがって、これら外側開口による模様をバルコニーフェンスの外面において認識することができ、意匠性に優れたものとなる。しかも、前記貫通部の内側開口が幼児の指が入らない程度の大きさであるので、幼児がバルコニーフェンスによじ登るのを防止できる。
【００３５】
また、前記貫通部が、前記フェンス本体の横方向に延在する前記スリットであり、該スリットがフェンス本体の縦方向に所定間隔で平行に設けられているものであるから、前記バルコニーの外側は非常に見映えの良い横目柄を形成することができる。さらに、前記貫通部が横方向に延在する前記スリットであるので、格子状に形成された貫通部に比べて、十分な通気性を確保することができる。
【００３７】
また、前記フェンス本体が、前記貫通部を備えた複数の分割フェンスパネルで構成されているものであるから、フェンス本体の高さや幅を、使用する分割フェンスパネルの数を変えることによって調整することができる。また、一部分が破損した場合に、破損した部分の分割フェンスパネルだけを取り替えればよく、フェンス本体一式を全て交換する必要が無い。
【００３８】
また、バルコニーに複数本の支柱が互いに平行に立設されており、該支柱に前記複数の分割フェンスパネルがそれぞれ上下に隣接して取り付けられているので、分割フェンスパネルを容易かつ確実にバルコニーに設置でき、よって、バルコニーフェンスをバルコニーに容易かつ、確実に取り付けることができる。また、上下に隣接する分割フェンスパネル間には、前記貫通部と同幅のスリットが設けられているので、分割フェンスパネル同士の継ぎ目を目立たなくさせることができ、一体型フェンスパネルと同等の見映えにすることができる。
【００３９】
請求項２の発明によれば、バルコニーに複数本の支柱を平行に立設し、次に、前記複数の分割フェンスパネルを、下から順番に前記支柱に取り付けていくものであるから、作業者は一体型のバルコニーフェンスを取り付ける場合に比べて、少ない労力で取り付けることができる。また、支柱があることによって、フェンス本体を強固に固定することができる。また、上から分割フェンスパネルを取り付けていくと、最後の一枚はバルコニーの床部と上に取り付けた分割フェンスパネルの間に取り付けなければならなくなり、分割フェンスパネルの寸法誤差や取付誤差の影響で取り付けが難しくなる場合が考えられるが、下から取り付けた場合には、最後の一枚の取り付け時には、上部には空間があり、多少の寸法誤差や取付誤差があったとしても、取り付けを容易に行うことができる。
【図面の簡単な説明】
【図１】本発明のバルコニーフェンスの一例を示すもので、その斜視図である。
【図２】同、バルコニーフェンスの横断面図である。
【図３】同、バルコニーフェンスの拡大横断面図である。
【図４】同、バルコニーフェンスの分解斜視図である。
【図５】同、バルコニーフェンスの取付け方法を説明するための図である。
【図６】同、バルコニーフェンスの取付け方法を説明するための図である。
【図７】同、バルコニーフェンスのバリエーションの形態を示す図である。
【符号の説明】
Ａ  バルコニーフェンス
Ｂ  スリット
１  フェンス本体
２  貫通部、スリット
３  分割フェンスパネル
４  支柱
８  外側開口
９  内側開口
【図１】
0004695272.tif 000002
【図２】
0004695272.tif 000003
【図３】
0004695272.tif 000004
【図４】
0004695272.tif 000005
【図５】
0004695272.tif 000006
【図６】
0004695272.tif 000007
【図７】
0004695272.tif 000008